(57)【特許請求の範囲】
【請求項１】
空気調和機の室外機の外郭の一部を構成する外郭部品と、
前記外郭部品の上方の端部から外方に向かって突き出すにように設けられ、少なくとも二つ以上の第一の開口部を有する平板と、を備え、
前記平板には、前記第一の開口部をそれぞれ塞ぐゴム製部品が取り付けられており、
前記ゴム製部品同士は、一体的に成形され、
それぞれの前記ゴム製部品には、中央部に貫通した穴を有し、前記穴から外側に向かって放射状に溝部が形成されており、
隣接する前記ゴム製部品の間には、前記平板と前記ゴム製部品とを固定する接着剤を注入するための第二の開口部が形成されている
ことを特徴とする空気調和機の室外機。
【発明の詳細な説明】
【技術分野】
【０００１】
本発明は、空気調和機の室外機に関し、特に、空気調和機の室外機へ接続する配線を室外機内へ引き込む箇所の構造に関する。
【背景技術】
【０００２】
一般的な空気調和機の室外機は、運転に必要な電力を、室外機に取り付けられた配線を通じて外部から取り入れている。また、このような室外機に取り付けられた配線を使用し、空気調和機の室内機を運転するための電力を室外機を介して供給するものや、室内機を制御するための信号を室外機から送信しているものもある。これらの電力及び信号の授受を行うため、複数の配線を室外機内へ引き込み、室外機内に設けられた端子台等へ接続している。
【０００３】
上述したような電力及び信号の授受を行うための配線は、室外機の外郭を構成する部品に設けられた穴を通し、室外機外から室外機内へ引き込まれ、端子台等の接続先へ接続されている。しかし、室外機の外郭部品へ配線を通すための穴を設けた場合、その穴から室外機内に雨水等が浸入する恐れがある。
【０００４】
また、室外機の外郭部品へ設けた穴に配線を通す場合、例えば外郭部品が板金部品であれば穴の円周面は板金の端面となっているため、配線が板金の端面と擦れ、配線の表面の被覆が破れる恐れがある。
【０００５】
以上のような要因により、空気調和機の外郭部品へ配線を通すための穴を設けることで、空気調和機の室外機の内部へ雨水等が浸入し、室外機の内部構造部品の腐食や内部に設けられた電機部品の短絡といった重大な影響を製品に与える恐れがある。また、穴の端面と配線が擦れて配線の表面の被覆が破れて、そこから漏電し、感電などの事故を招く恐れがある。
【０００６】
このような課題の対策として、外郭板に配線取り出し孔を形成し、この配線取り出し孔に、ゴムキャップを嵌め込む。そして、電源線を外郭板の外方から機器内へ導く場合は、ゴムキャップの薄膜に切り込みを入れ、電源線をゴムキャップに通して、内部に導くものが提案されている（例えば特許文献１参照）。
【０００７】
また、配線固定装置において、「配線固定部に設けられている貫通孔と、該貫通孔に嵌め込まれる筒状弾性部材とからなり、筒状弾性部材は、配線が貫通される内周孔と、長さ方向にテーパー状とされている外周とを有し、その内外周間に所定角度の切り欠きが設けられた構成とされ、筒状弾性部材の内周孔に貫通された配線は、貫通孔とテーパー状外周との嵌合により締め付け固定される」ものが提案されている（例えば特許文献２参照）。
【先行技術文献】
【特許文献】
【０００８】
【特許文献１】特許第３１０８０８６号公報（第２頁）
【特許文献２】特開２０１１−７５２３１号公報（請求項１、要約書）
【発明の概要】
【発明が解決しようとする課題】
【０００９】
しかしながら、特許文献１及び特許文献２で提案されている発明においては、外郭に設けたゴム部品１つに対して、通すことができる配線が１本となっており、複数の配線接続が必要な場合には、配線の本数分の穴及び部品が必要となり、効率が悪くなるという問題点があった。
【００１０】
本発明は、上記のような問題点を解決するためになされたもので、第一の目的は、複数本の配線を１つの開口部から室外機内へ引き込むことが可能な構造を有する空気調和機の室外機を得ることにある。
【００１１】
第二の目的は、配線を室外機内部へ通すために室外機の外郭に設けられた穴から、室外機内部への雨水等の浸入を防ぐ構造を有する空気調和機の室外機を得ることにある。
【００１２】
第三の目的は、配線を室外機内へ引き込む際に、外郭部品の板金の端面と配線の接触を防ぐ構造を有する空気調和機の室外機を得ることにある。
【課題を解決するための手段】
【００１３】
本発明に係る空気調和機の室外機は、空気調和機の室外機の外郭の一部を構成する外郭部品と、前記外郭部品の上方の端部から外方に向かって突き出すにように設けられ、少なくとも二つ以上の第一の開口部を有する平板と、を備え、前記平板には、前記第一の開口部をそれぞれ塞ぐゴム製部品が取り付けられており、前記ゴム製部品同士は、一体的に成形され、それぞれの前記ゴム製部品には、中央部に貫通した穴を有し、前記穴から外側に向かって放射状に溝部が形成されており、隣接する前記ゴム製部品の間には、前記平板と前記ゴム製部品とを固定する接着剤を注入するための第二の開口部が形成されているものである。
【発明の効果】
【００１４】
本発明によれば、外郭の一部を構成する平板にゴム製部品の開口部を設けることで、１つの開口部から複数本の配線を室外機の内部に通すことができる。また、室外機の上下方向に対して垂直な平板に開口部を設けることで、室外機内部への雨水等の浸入を防ぐことができ、さらに、配線を室外機内へ引き込む際に、外郭部品の板金の端面と配線の接触を防ぐことができる。
【図面の簡単な説明】
【００１５】
【図１】本発明の実施の形態に係る空気調和機の室外機の正面斜視図である。
【図２】本発明の実施の形態に係る空気調和機の室外機の背面斜視図である。
【図３】本発明の実施の形態に係る外郭部品の斜視図である。
【図４】本発明の実施の形態に係る外郭部品からゴム製部品を取り外した状態の斜視図である。
【図５】本発明の実施の形態に係るゴム製部品の裏側（上側）の拡大斜視図である。
【図６】本発明の実施の形態に係るゴム製部品の表側（下側）の拡大正面図である。
【発明を実施するための形態】
【００１６】
空気調和機の室外機は、主に冷媒を圧縮する圧縮機と、冷媒と周囲の流体との間で熱交換を行う熱交換器と、熱交換器を冷却するファンなどにより構成されている。このうち、室外機は、圧縮機及びファン等の運転に必要な電力や信号を室外機に取り付けた配線を通じて外部から取り入れている。そこで、以下、本発明に係る室外機への電力や信号を供給する配線を室外機内へ引き込む箇所の構造について説明する。
【００１７】
実施の形態
図１は、本発明の実施の形態に係る空気調和機の室外機１の正面斜視図である。また、図２は、本発明の実施の形態に係る空気調和機の室外機１の背面斜視図である。図１及び図２に示されるように、空気調和機の室外機１は、外郭（筐体）は、図に示される通りの構成であるが、本実施の形態に特に関連する外部部品として、外郭部品Ａ２、外郭部品Ｂ３、外郭部品Ｃ４及び外郭部品Ｄ７を備えている。
【００１８】
空気調和機の室外機１は、正面から見て右側面に外郭部品Ａ２を備えている。また、空気調和機の室外機１の背面には、外郭部品Ｂ３を備えている。外郭部品Ｃ４は、外郭部品Ａ２と正対する位置に設置され、さらに外郭部品Ｂ３と隣接した位置に設置されている。また、外郭部品Ｄ７は、外郭部品Ｃ４の上部に設けられ、外郭部品Ｃ４の上部を覆っている。このように、外郭部品Ｃ４は室外機１の外郭部品の一部ではあるものの、室外機１の内側に入り込んだ露出の少ない位置、つまり、外郭部品Ａ２及び外郭部品Ｂ３より室外機１の内部側の位置に設置されている。そして、外郭部品Ｄ７が外郭部品Ｃ４の上部を覆うことで上部から雨水等が浸入しない構造となっている。
【００１９】
図３は、本発明の実施の形態に係る外郭部品Ｃ４の斜視図である。また、図４は、本発明の実施の形態に係る外郭部品Ｃ４からゴム製部品５を取り外した状態の斜視図である。
【００２０】
図３に示されるように、外郭部品Ｃ４は、折り曲げ部４ｃと、折り曲げ部４ｃの上部に設けられたゴム製部品５とを備えている。ゴム製部品５は、開口部５ａ、開口部５ｂ及び開口部５ｃ（図示省略）を有し、上述した室外機１内に設置されている圧縮機等の運転に必要な電力及び信号を供給するための配線を通す。なお、配線をゴム製部品５に通す方法については後述する。
【００２１】
図４に示されるように、折り曲げ部４ｃは、外郭部品Ｃ４の上方の端部に備えられ、室外機１の上下方向に垂直な面となっている。また、折り曲げ部４ｃの面上には、四角形状の開口部４ａ及び開口部４ｂが、一定の間隔を空けて設けられている。これらの構造により、配線を室外機１の鉛直方向の下向きに取り出すことができる。
なお、折り曲げ部４ｃは、本発明における「平板」に相当する。また、本実施の形態において、折り曲げ部４ｃを外郭部品Ｃ４の一部として設けているが、折り曲げ部４ｃを外郭部品Ｃ４とは別に設けても良い。
【００２２】
ゴム製部品５を折り曲げ部４ｃに取り付ける際には、折り曲げ部４ｃに設けられた開口部４ａと開口部４ｂに対して、ゴム製部品５に設けられた開口部５ａと開口部５ｂとが重なるように、ゴム製部品５は、折り曲げ部４ｃの上に取り付けられる。
【００２３】
これにより、外郭部品Ｃ４に設けられた開口部４ａ及び開口部４ｂの端面が、ゴム製部品５の開口部５ａ及び開口部５ｂで覆われるため、配線を通過させた場合でも配線と開口部４ａ及び開口部４ｂの端面が接触することがなくなる。
【００２４】
なお、本実施の形態において、開口部を２つ設けた例を示したが、本発明はこれに限定されず、開口部が少なくとも１つ以上設けられていれば良い。
【００２５】
図５は、本発明の実施の形態に係るゴム製部品５の裏側（上側）の拡大斜視図である。また、図６は、本発明の実施の形態に係るゴム製部品５の表側（下側）の拡大正面図である。
【００２６】
図５に示されるように、ゴム製部品５は、四角形状をしており、中央部に四角形状の開口部５ｃを有し、開口部５ｃの左右に四角形状の開口部５ａ及び開口部５ｂを有する。また、開口部５ａ及び開口部５ｂは、ゴム製部品５の外周部分よりも、厚さが薄く作られている。
なお、開口部５ａ及び開口部５ｂは、本発明における「第一の開口部」に相当する。また、開口部５ｃは、本発明における「第二の開口部」に相当する。
【００２７】
また、図６に示されるように、開口部５ａ及び開口部５ｂの表側は、中央部に貫通した丸い穴６ａを有し、穴６ａから開口部５ａ及び開口部５ｂの外側に向かって放射状に溝部６ｂが形成されている。このため、溝部６ｂの底部の厚さは、開口部５ａ及び開口部５ｂの厚さより、さらに薄くなっている。このような構成により、配線を開口部５ａ及び開口部５ｂに通す際、配線が穴６ａの径より大きい場合には、配線を通す際の押圧する力が穴６ａ及び溝部６ｂにかかり、容易に溝部６ｂに切り込みが入ることで、刃物等を用いて切り込みを入れる必要がなくなる。
【００２８】
この開口部５ａ及び開口部５ｂは、配線を通す前は穴６ａを除いて、溝部６ｂは閉塞しているが、それぞれが複数本の配線を通すことを想定している。例えば合計６本の配線を室外機内へ接続する場合は、配線を通す際の押圧する力によって、溝部６ｂに切り込みが入り、開口部５ａ及び開口部５ｂにそれぞれ３本ずつの配線を通すことができる。
【００２９】
なお、ゴム製部品５については、上述した特許文献２に開示されているような配線の固定機能は有しておらず、配線を固定するための装置（図示省略）は、室外機１内に別途設けられている。
【００３０】
なお、本実施の形態では、ゴム製部品５の開口部５ａ及び開口部５ｂにそれぞれに複数本の配線を通すことを想定しているが、本発明はこれに限定されず、例えば、片方の開口部のみで、全ての配線を通過させても良い。この場合、配線を通過させない側の開口部は、中央の穴６ａを除いて閉塞され、かつ室外機１の上下方向に対して垂直に形成されているため、雨水等の浸入を防ぐことができる。
【００３１】
以上のように、ゴム製部品５の開口部５ａ及び開口部５ｂに穴６ａ及び溝部６ｂを設けることで、１つの開口部に対して複数本の配線を室外機１内へ通すことができる空気調和機の室外機１を得ることができる。
【００３２】
また、室外機１の外郭部品Ｃ４に設けられた開口部４ａ及び開口部４ｂは、室外機１の上下方向に対して垂直に開口している。これにより、室外機１に雨水が風によって吹き付けられた場合でも、室外機１内部へ雨水が入りにくい空気調和機の室外機１を得ることができる。
【００３３】
さらに、外郭部品Ｃ４に設けられた配線を通すための開口部４ａ及び開口部４ｂは、ゴム製部品５の開口部５ａ及び開口部５ｂによって覆われている。このため、配線が開口部４ａ及び開口部４ｂの端面に直接触れることがなく、配線の取り付け作業時等での擦れによる配線の被覆の破れが生じない空気調和機の室外機１を得ることができる。
【００３４】
なお、上述したように外郭部品Ｃ４にゴム製部品５を取り付ける際には、ゴム製部品５を外郭部品Ｃ４の開口部４ａ及び開口部４ｂへ嵌め込むことで固定している。しかしながら、外郭部品Ｃ４とゴム製部品５との間で、さらに強固な固定が必要である場合には、外郭部品Ｃ４へゴム製部品５を嵌め込み、外郭部品Ｃ４とゴム製部品５が接する面へ、接着材をゴム製部品５の外周に沿って流し込む。こうすることで、外郭部品Ｃ４とゴム製部品５とをさらに強固に接着することができる。この場合に、本発明を構成するゴム製部品５には、開口部５ｃが設けられている。そして、この開口部５ｃから接着剤を流し込むことによって、接着材を流し込む範囲を拡大することができる構造になっている。
【符号の説明】
【００３５】
１  室外機、２  外郭部品Ａ、３  外郭部品Ｂ、４  外郭部品Ｃ、４ａ  開口部、４ｂ  開口部、４ｃ  折り曲げ部、５  ゴム製部品、５ａ  開口部、５ｂ  開口部、５ｃ  開口部、６ａ  穴、６ｂ  溝部、７  外郭部品Ｄ。
【図１】
0006293039.tif 000002
【図２】
0006293039.tif 000003
【図３】
0006293039.tif 000004
【図４】
0006293039.tif 000005
【図５】
0006293039.tif 000006
【図６】
0006293039.tif 000007